(57)【特許請求の範囲】
【請求項１】
差込口５と、この差込口５の内部に備えた受電ピン７および発熱体６を有するヘアーカーラ１と、第１加熱台２および第２加熱台３とからなり、
第１加熱台２には、ヘアーカーラ１の差込口５が差込み装着されかつ受電ピン７が挿入されるピン孔１４を先端に有する給電ソケット１３を立設するとともに、電源コード１０およびコネクター１２を備えており、
第２加熱台３には、上記と同じ給電ソケット１３を立設し、前記コネクター１２に接続されるプラグ刃１７を備えているヘアーカーラの加熱装置において、
第１加熱台２と第２加熱台３とを各給電ソケット１３の立設面どうしが向き合うように互いに重ね合わせたときに、相手側の給電ソケット１３のピン孔１４に挿入するピン２２が、第１加熱台２および第２加熱台３の各給電ソケット１３の立設面にそれぞれ突設されていることを特徴とするヘアーカーラの加熱装置。
【請求項２】
差込口５を有するヘアーカーラ１と、第１加熱台２および第２加熱台３とからなり、
第１加熱台２には、ヘアーカーラ１の差込口５が差込み装着される給電ソケット１３を立設し、電源コード１０およびコネクター１２を備えており、
第２加熱台３には、上記と同じ給電ソケット１３を立設し、前記コネクター１２に接続されるプラグ刃１７を備えているヘアーカーラの加熱装置において、
第１加熱台２と第２加熱台３とを各給電ソケット１３の立設面どうしが向き合うように互いに重ね合わせたときに、相手側の給電ソケット１３の先端部が嵌まり込む凹部２４が、第１加熱台２および第２加熱台３の各給電ソケット１３の立設面にそれぞれ設けられていることを特徴とするヘアーカーラの加熱装置。
【発明の詳細な説明】
【０００１】
【産業上の利用分野】
本発明は、ヘアーカーラの加熱装置に関する。
【０００２】
【従来の技術】
ヘアーカーラの加熱装置として、ヘアーカーラを加熱する給電ソケットを立設した２台の第１加熱台と第２加熱台とを用意し、第１加熱台は壁面側のコンセントに接続可能な電源コードおよびコネクターを備え、第２加熱台は壁面側のコンセントまたは前記コネクターに接続されるプラグ刃を備えたものがある（文献不詳）。これが使用に際し、加熱するヘアーカーラの本数が少ない場合は第１加熱台または第２加熱台を単独で使用し、一度に多数のヘアーカーラを加熱する場合は第１加熱台のコネクターに第２加熱台のプラグ刃を差し込んで両者を連結状態にして同時に使用している。
【０００３】
【発明が解決しようとする課題】
しかるに、上記したヘアーカーラの加熱装置では、第１・２加熱台の一方のみまたは両方共いずれでも使い分けることができる便利さがある。その反面、不使用時における収納保管性、携帯性の点で不利不便を招きやすい。すなわち、収納保管または携帯に際して、第１加熱台と第２加熱台とを接続した状態では平面的に広がるため、第１加熱台と第２加熱台とを分離して互いに重ね合わすことになるが、こうした場合に両加熱台どうしを単に重ね合わすだけではすぐに両者がばらつきやすく、電源コードを利用して両加熱台を縛るにしても加熱台の形状いかんによっては縛ることが不可能なことがある。
とくに、ヘアーカーラがこれの差込み口の内部に発熱体および受電ピンを有し、加熱台から立設した給電ソケットが先端にピン孔を有し、加熱に際しヘアーカーラの差込み口を給電ソケットにはめ込み、受電ピンをピン孔に差し込み、もってヘアーカーラの発熱体に商用交流電圧を印加することにより加熱するものがある。こうした加熱仕様では、不使用時に給電ソケットの先端のピン孔が開放状態になっているため、この内部に塵埃や髪の毛などが侵入して詰まったり、特に洗面所や浴室等では水が侵入しやすくて危険であるという問題があった。
【０００４】
本発明の目的は、上記のような第１加熱台と第２加熱台をセットにするヘアーカーラの加熱装置において、不使用時に両加熱台どうしをコンパクトに一体的に重ね合わせることのできるヘアーカーラの加熱装置を提供するにある。本発明の目的は、給電ソケットの先端のピン孔に水や塵埃が侵入するのを防止できるヘアーカーラの加熱装置を提供するにある。
【０００５】
【課題を解決するための手段】
請求項１記載の本発明は、例えば図１のように、差込口５と、この差込口５の内部に備えた受電ピン７および発熱体６を有するヘアーカーラ１と、第１加熱台２および第２加熱台３とからなる。第１加熱台２には、ヘアーカーラ１の差込口５が差込み装着され、かつ受電ピン７が挿入されるピン孔１４を先端に有する給電ソケット１３を立設するとともに、電源コード１０およびコネクター１２を備えている。第２加熱台２には、上記と同じ給電ソケット１３を立設し、前記コネクター１２に接続されるプラグ刃１７を備えている。かかるヘアーカーラの加熱装置において、第１加熱台２と第２加熱台３とを各給電ソケット１３の立設面どうしが向き合うように互いに重ね合わせたときに、相手側の給電ソケット１３のピン孔１４に挿入するピン２２が、第１加熱台２および第２加熱台３の各給電ソケット１３の立設面にそれぞれ突設されていることを特徴とする。
【０００６】
請求項２記載の本発明は、差込口５を有するヘアーカーラ１と、第１加熱台２および第２加熱台３とからなる。第１加熱台２には、ヘアーカーラ１の差込口５が差込み装着される給電ソケット１３を立設し、電源コード１０およびコネクター１２を備えている。第２加熱台２には上記と同じ給電ソケット１３を立設し、前記コネクター１２に接続されるプラグ刃１７を備えている。かかるヘアーカーラにおいて、第１加熱台２と第２加熱台３とを各給電ソケット１３の立設面どうしが向き合うように互いに重ね合わせたときに、相手側の給電ソケット１３の先端部が嵌まり込む凹部２４が、第１加熱台２および第２加熱台３の各給電ソケット１３の立設面にそれぞれ設けられていることを特徴とする。
【０００７】
【作用】
請求項１記載の本発明によれば、第１加熱台２と第２加熱台３とを各給電ソケット１３の立設面どうしが互いに向き合うように重ね合わせたとき、ピン２２がピン孔１４に挿入することにより、両加熱台２・３どうしの重ね合わせ状態が維持されるとともに、ピン孔１４の閉塞状態が得られる。
【０００８】
請求項２記載の本発明によれば、第１加熱台２と第２加熱台３とを各給電ソケット１３の立設面どうしが向き合うように重ね合わせたとき、給電ソケット１３の先端部が凹部２４に嵌まり込むことにより、両加熱台２・３どうしの重ね合わせ状態が維持されるとともに、ピン孔１４の閉塞状態が得られる。
【０００９】
【実施例】
（第１実施例）
図１ないし図６は本発明の第１実施例を示し、図１はヘアーカーラの加熱装置の第１加熱台と第２加熱台を分離した状態で示す斜視図、図２は第１・２加熱台を重ね合わせた状態の平面図、図３は第１・２加熱台を重ね合わせた状態での正面図、図４および図５はそれぞれ第１加熱台の側面図、図６は第１・２加熱台の結線概念図を示す。
図１において、このヘアーカーラ加熱装置はヘアーカーラ１と、第１加熱台２および第２加熱台３とからなる。ヘアーカーラ１はプラスチック製の筒状の髪巻胴４の一端に差込口５を設けてあり、この差込口５の内部に正特性サーミスタ等からなる発熱体６と、この発熱体６に商用交流電圧を印加する受電ピン７とを備えている。
【００１０】
第１加熱台２は平たい箱形の本体ケース９を有し、この本体ケース９の周面一部から電源コード１０を導出してあり、電源コード１０の導出箇所とは別の箇所に直壁状に形成した突き合わせ面１１にコネクター１２が取り付けられている。本体ケース９の平坦な上面には、ヘアーカーラ１の差込口５が嵌まり込む短管状の給電ソケット１３を複数個、所定間隔をおいて並べて立設している。各給電ソケット１３の上端の中央にはヘアーカーラ１の受電ピン７が挿入するピン孔１４を有し、該給電ソケット１３の内部には電源コード１０と接続された給電端子８（図６参照）を備えていて、これに挿入される受電ピン７と電気的に接触するようにしてある。
【００１１】
第２加熱台３は先の本体ケース９と殆ど同じ形状の本体ケース１５を有し、この周面の直壁状の突き合わせ面１６にプラグ刃１７を備えている。このプラグ刃１７は本体ケース１５に対し突出使用姿勢と収納姿勢とに切換え自在である。図４ではプラグ刃１７は本体ケース１５の底面に備えたノブ１８で本体ケース１５に対し突出使用姿勢と収納姿勢とにわたってスライド自在である。図５ではプラグ刃１７は本体ケース１５に対し突出使用姿勢と収納姿勢とにわたって軸１９まわりに回動自在とした。収納保管あるいは携帯時にプラグ刃１７は収納姿勢に切り換えられる。
第２加熱台３において本体ケース１５の平坦な上面には、第１加熱台２の短管状の給電ソケット１３と同一形状、同一構造の給電ソケット１３が第１加熱台２のそれと同数個、同配列状態下で立設してあり、各給電ソケット１３の内部にはプラグ刃１７と接続された給電端子８を備えている。
【００１２】
第１加熱台２と第２加熱台３は、使用に際してプラグ刃１７をコネクター１２に差し込むことにより互いに上面どうしが面一になるように突き合わせ面１１・１６どうしを突き合わせて連結する。この連結により第１加熱台２のコネクター１２は、第２加熱台３のプラグ刃１７を受け入れて、電源コード１０に電気的に接続する。
第１加熱台２と第２加熱台３は連結状態において不用意にぐらつかないように第１加熱台２の本体ケース９の突き合わせ面１１の上端側から平面円弧形状の突壁２０を突設する一方、第２加熱台３の突き合わせ面１６の上端側に該突壁２０が丁度嵌まり込む凹部２１を設けている。
【００１３】
第１加熱台２と第２加熱台３の各上面に、両加熱台２・３を上面どうしが向き合うよう重ね合わせたときに相手側の給電ソケット１３のピン孔１４に挿入するピン２２が突設されている。
【００１４】
上記構成の第１加熱台２と第２加熱台３は各々を単独で、または両者を連結して同時に使用することができる。第１加熱台２を単独で使用するときは電源コード１０の先端のプラグ２３を壁面のコンセントに差し込み、給電ソケット１３にヘアーカーラ１の差込口５を差し込むことによりヘアーカーラ１を加熱することができる。第２加熱台３を単独で使用するときはプラグ刃１７を壁面のコンセントに差し込み、給電ソケット１３にヘアーカーラ１の差込口５を差し込むことによりヘアーカーラ１を加熱することができる。
第１加熱台２と第２加熱台３を一緒に使用するときは、第１加熱台２と第２加熱台３の突き合わせ面１１・１６どうしを突き合わせてコネクター１２にプラグ刃１７を差し込む。そのうえで各加熱台２・３の給電ソケット１３にヘアーカーラ１の差込口５を差し込むことにより多数のヘアーカーラ１を同時に加熱することができる。
【００１５】
収納保管あるいは携帯時の不使用時には、図２および図３に示すように、第１加熱台２と第２加熱台３とを各上面どうしが向き合うよう互いに重ね合わせる。これで各ピン２２が各ピン孔１４に嵌入して両加熱台２・３どうしを重ね合わせ状態に維持し、両加熱台２・３のばらつきを防止する。またピン２２はピン孔１４を閉塞して水や塵埃が侵入するのを防止する。
上記ピン２２は各加熱台２・３と一体成形により形成してもよいが、各加熱台２・３とは別体で、焼結された多孔性のポリエステルあるいはフェルトなどで構成することもできる。これによりピン２２にアルコールを吸収させることができる。したがって、給電ソケット１３のピン孔１４にピン２２を抜き差しすることにより、該ソケット１３内の給電端子を摺接して清掃管理することができる。この場合、ピン２２これ自体を上記ポリエステルあるいはフェルトで形成すること、またはピン２２を上記ポリエステル膜あるいはフェルトを被覆することは任意である。
【００１６】
（第２実施例）
図７および図８は本発明の第２実施例を示し、図７はヘアーカーラの加熱装置の第１加熱台と第２加熱台とを分離した状態で示す斜視図、図８は第１・２加熱台を重ね合わせた状態の正面図である。
第１実施例と異なるところは、第１加熱台２と第２加熱台３の各上面に、両加熱台２・３を上面どうしが向き合うように互いに重ね合わせたときに相手側の給電ソケット１３の先端部が嵌まり込む凹部２４を設けている点であり、その他の構成は第１実施例の場合と同様である。
【００１７】
収納保管あるいは携帯時の不使用時には、図８に示すように、第１加熱台２と第２加熱台３とを各上面どうしが互いに向き合うよう重ね合わせると、給電ソケット１３の先端部が凹部２４に嵌め込み、両加熱台２・３どうしの重ね合わせ状態が維持されるとともに、ピン孔１４が塞がれて水や塵埃が侵入するのを防止できる。
この場合、図８のように給電ソケット１３の先端部の外周にくびれ部２５を設ける一方、凹部２４の内周に連続状または断続的に弾性変形自在な突部２６を設けて、上記のように給電ソケット１３の先端部を凹部２４に嵌入したときに突部２６がこれの弾性変形でもってくびれ部２５に軽く係合するようにすれば、不用意に給電ソケット１３の先端部が凹部２４から抜け出るのを阻止できて加熱台２・３どうしの重ね合わせ状態をより確実に維持できる。
【００１８】
（第３実施例）
図９ないし図１１は本発明の第３実施例を示し、図９は第１加熱台の斜視図、図１０は第１加熱台と第２加熱台を重ね合わす直前の状態を示す斜視図、図１１は第１加熱台の一部を破断して示す側面図である。
第１実施例と異なるところは、第１加熱台２および第２加熱台３の各本体ケース９・１５の各上面にそれぞれ、給電ソケット１３を直列状に配列し、給電ソケット１３のピン孔１４に挿入されるピン２２も同様に直列状に配列する点にあり、その他の構成は第１実施例と同様である。
この場合、第１加熱台２および第２加熱台３のそれぞれにおいて、図１１に示すようにピン２２を直列状に配設したピン基台２７を本体ケース９・１５とは別体に構成し、このピン基台２７を本体ケース９・１５の凹所２９に対しピン２２が上向き姿勢（同図の実線状態）と下向き姿勢（同図の二点鎖線状態）とに切り換え可能に軸３０まわりに回動自在に装着する。こうすることにより第１加熱台２および第２加熱台３の小型化を図るために各本体ケース９・１５の幅Ｗをできる限り狭く設定でき、ヘアーカーラ１を加熱するときはピン２２がヘアーカーラ１の装着の邪魔にならないように該ピン２２を下向き姿勢に、第１加熱台２と第２加熱台３を重ねるときには該ピン２２を上向き姿勢にそれぞれ切り換える。
【００１９】
（第４実施例）
図１２は本発明の第４実施例を概略的に示し、第１加熱台２および第２加熱台３の各本体ケース９・１５の各上面にそれぞれ、給電ソケット１３を直列状に配設する点は第３実施例の場合と同様であり、ピン２２に代えて凹部２４を設け、第１加熱台２と第２加熱台３を重ね合わせるときに第２実施例の場合と同様にその凹部２４に給電ソケット１３の先端部が嵌入するようにした点が、第３実施例の場合と異なっている。
【００２０】
（第５実施例）
図１３に示すように、第１加熱台２あるいは第２加熱台３を使用する時に給電ソケット１３群のすべてを使う必要がないとき、例えば３本中、１〜２本のみ使うときは、不慮にその使用しない給電ソケット１３のピン孔１４に導電部材等を突っ込むなどして感電するのを防止するために、そのピン孔１４は蓋部材２８で閉塞しておくようにすることが好ましい。
【００２１】
（別実施例態様例）
ヘアーカーラ１としてはこれの差込口５の内部に、上記発熱体６および受電ピン７に代えて熱伝導性に優れる金属筒及び／又は蓄熱体を内蔵するものを使用することもできる。一方、給電ソケット１３としてはヒータ又は正特性サーミスタなどで加熱される加熱棒を使用し、この加熱棒に前記差込口５を差し込んでヘアーカーラ１を加熱するものでもよい。この場合は給電ソケット１３としての加熱棒はこれの先端にピン孔１４を有しない形に形成されるため、第２実施例または第４実施例のごとく第１・２加熱台２・３どうしを重ね合わすとき給電ソケット１３の先端部が嵌まり込む凹部２４を設けることにより実施することになる。
【００２２】
【発明の効果】
請求項１記載の本発明によれば、第１加熱台２と第２加熱台３とを各給電ソケット１３の立設面どうしが向き合うように互いに重ね合わせたときにピン２２がピン孔１４に挿入するものとした。従って、両加熱台２・３どうしを互いに重ね合わせると、ピン２２とピン孔１４の挿入を介してその重合状態が維持されるため収納保管、携帯に便利である。しかもピン孔１４を塞ぐこともできて水や塵埃が侵入するのを防止できて有利である。
【００２３】
請求項２記載の本発明によれば、第１加熱台２と第２加熱台３とを各給電ソケット１３の立設面どうしが向き合うよう互いに重ね合わせたときに給電ソケット１３の先端部が凹部２４に嵌まり込むものとした。従って、両加熱台２・３どうしの重ね合わせ状態が給電ソケット１３の先端部と凹部２４の嵌まり込みを介して維持されるとともに、ピン孔１４が塞がれるため水や塵埃の侵入防止を図れて安全である。
【図面の簡単な説明】
【図１】第１実施例の第１加熱台と第２加熱台とを分離した状態での斜視図である。
【図２】第１実施例の第１・２加熱台を重ね合わせた状態での平面図である。
【図３】第１実施例の第１・２加熱台を重ね合わせた状態での正面図である。
【図４】第１実施例の第１加熱台の側面図である。
【図５】第１実施例の第１加熱台の側面図である。
【図６】第１実施例の第１・２加熱台の結線概念図である。
【図７】第２実施例におけるヘアーカーラ加熱装置の第１加熱台と第２加熱台とを分離した状態での斜視図である。
【図８】第２実施例の第１・２加熱台を重ね合わせた状態での正面図である。
【図９】第３実施例の第１加熱台の斜視図である。
【図１０】第３実施例の第１・２加熱台を重ね合わせる直前の状態を示す斜視図である。
【図１１】第３実施例の第１加熱台の一部を破断して示す側面図である。
【図１２】第４実施例の第１・２加熱台を重ね合わせた状態を概略的に示す側面図である。
【図１３】第５実施例の第１加熱台または第２加熱台の使用例を示す側面図である。
【符号の説明】
１  ヘアーカーラ
２  第１加熱台
３  第２加熱台
５  差込口
６  発熱体
７  受電ピン
１０  電源コード
１２  コネクター
１３  給電ソケット
１４  ピン孔
１７  プラグ刃
２２  ピン
２４  凹部
【図１】
0003560186.tif 000002
【図２】
0003560186.tif 000003
【図３】
0003560186.tif 000004
【図４】
0003560186.tif 000005
【図５】
0003560186.tif 000006
【図６】
0003560186.tif 000007
【図７】
0003560186.tif 000008
【図８】
0003560186.tif 000009
【図９】
0003560186.tif 000010
【図１０】
0003560186.tif 000011
【図１１】
0003560186.tif 000012
【図１２】
0003560186.tif 000013
【図１３】
0003560186.tif 000014